(57)【要約】【課題】化粧品の美容成分を皮膚内部に効率的に浸透させることができる制御装置およびこれを備える美容装置を提供する。【解決手段】美容装置は第１電極１１０、第２電極１２０、および、制御装置を備える。第１電極１１０および第２電極１２０は化粧品の美容成分が浸透する経路が形成されるように皮膚内部に電界を形成する。制御装置は第１電極１１０に第２電極１２０よりも高電位の直流パルス電圧を周期的に印加し、直流パルス電圧のデューティ比を５０％超かつ８５％以下に設定する電圧制御部を備える。【選択図】  図５
2020137721.tif 000002
【特許請求の範囲】
【請求項１】
化粧品の美容成分が浸透する経路が形成されるように皮膚内部に電界を形成する第１電極および第２電極を備える美容装置の制御装置であって、
前記第１電極に前記第２電極よりも高電位の直流パルス電圧を周期的に印加し、
前記直流パルス電圧のデューティ比を５０％超かつ８５％以下に設定する電圧制御部を備える
美容装置の制御装置。
【請求項２】
前記電圧制御部は前記デューティ比を７５％以上に設定する
請求項１に記載の美容装置の制御装置。
【請求項３】
前記第１電極および前記第２電極は櫛歯電極であり、前記第１電極の歯と前記第２電極の歯とが所定方向に交互に並ぶように配置され、
前記第１電極の歯の数は前記第２電極の歯の数よりも多い
請求項１または２に記載の美容装置の制御装置。
【請求項４】
請求項１〜３のいずれか一項に記載の制御装置を備える美容装置。
【発明の詳細な説明】
【技術分野】
【０００１】
本発明は皮膚内部に化粧品の美容成分を浸透させる美容装置およびその制御装置に関する。
【背景技術】
【０００２】
皮膚内部に電界を形成し、化粧品の美容成分を皮膚内部に浸透させる美容装置が知られている。特許文献１には従来の美容装置の一例が記載されている。
【先行技術文献】
【特許文献】
【０００３】
【特許文献１】特開２００１−３７４７６号公報
【発明の概要】
【発明が解決しようとする課題】
【０００４】
美容装置に対しては皮膚への美容等に関する有効成分の浸透性の向上が期待される。本願発明者が得た知見では、電気パルスのデューティ比は皮膚への美容等に関する有効成分の浸透性に影響する。特許文献１では、電気パルスのデューティ比と薬剤の浸透性との関係について特に着目していない。
本発明の目的は化粧品の美容成分を皮膚内部に効率的に浸透させることができる制御装置およびこれを備える美容装置を提供することである。
【課題を解決するための手段】
【０００５】
本発明の一形態に関する美容装置の制御装置は化粧品の美容成分が浸透する経路が形成されるように皮膚内部に電界を形成する第１電極および第２電極を備える美容装置の制御装置であって、前記第１電極に前記第２電極よりも高電位の直流パルス電圧を周期的に印加し、前記直流パルス電圧のデューティ比を５０％超かつ８５％以下に設定する電圧制御部を備える。
【発明の効果】
【０００６】
本発明に関する制御装置およびこれを備える美容装置は化粧品の美容成分を皮膚内部に効率的に浸透させることができる。
【図面の簡単な説明】
【０００７】
【図１】実施の形態の美容装置の正面図。
【図２】図１の美容装置の第１側面図。
【図３】図１の美容装置の第２側面図。
【図４】図１の経路形成機構の分解斜視図。
【図５】図４の第１電極および第２電極の平面図。
【図６】図１のヘッドの内部構造を示す断面図。
【図７】図１の美容装置のブロック図。
【図８】美容成分の浸透方法の一例を示すフローチャート。
【図９】第１試験の結果の一例を示すグラフ。
【図１０】第２試験の結果の一例を示すグラフ。
【図１１】経路形成機構の第１変形例の平面図。
【図１２】経路形成機構の第２変形例の平面図。
【発明を実施するための形態】
【０００８】
(制御装置等が取り得る形態の一例)
本発明の一形態に関する美容装置の制御装置は化粧品の美容成分が浸透する経路が形成されるように皮膚内部に電界を形成する第１電極および第２電極を備える美容装置の制御装置であって、前記第１電極に前記第２電極よりも高電位の直流パルス電圧を周期的に印加し、前記直流パルス電圧のデューティ比を５０％超かつ８５％以下に設定する電圧制御部を備える。
上記制御装置によれば、化粧品の美容成分を皮膚内部に効率的に浸透させることができる。
【０００９】
前記制御装置の一例によれば、前記電圧制御部は前記デューティ比を７５％以上に設定する。
上記制御装置によれば、皮膚内部への化粧品の美容成分の浸透性が向上する。
【００１０】
前記制御装置の一例によれば、前記第１電極および前記第２電極は櫛歯電極であり、前記第１電極の歯と前記第２電極の歯とが所定方向に交互に並ぶように配置され、前記第１電極の歯数は前記第２電極の歯数よりも多い。
上記制御装置によれば、皮膚内部に強い電界が形成されやすい。
【００１１】
本発明の一形態に関する美容装置は前記制御装置のいずれか１つを備える。
上記美容装置によれば、化粧品の美容成分を皮膚内部に効率的に浸透させることができる。
【００１２】
(実施の形態)
図１に示される美容装置１０は、電気エネルギーにより生じる生体の作用を利用して化粧品の美容成分に関する経皮吸収または粘膜吸収を促進させる美容機能を備えている。美容装置１０は主に、人体の対象部位の皮膚表面に塗布された化粧品の美容成分を皮膚内部に浸透させるために用いられる。美容成分は例えば高分子を含む。美容成分の具体例としてはヒアルロン酸、コラーゲン、および、ビタミンＣ誘導体等が挙げられる。美容機能には、皮膚内部に電界を形成し、皮膚のバリア機能を低下させる弛緩機能、および、皮膚内部に微弱電流を流し、皮膚内部への美容成分の浸透を促進する浸透機能が含まれる。微弱電流とは生体に強い刺激を与えない程度の大きさの電流である。弛緩機能は例えばエレクトロポレーションの利用により実現される。浸透機能は例えばイオントフォレシスの利用により実現される。
【００１３】
皮膚のバリア機能は皮膚のラメラ構造により与えられる。皮膚のラメラ構造は主に角質細胞および細胞間脂質により構成されている。弛緩機能では、例えば皮膚表面に配置された電極に電気パルスを印加し、皮膚内部にパルス電界を形成する。パルス電界の作用により皮膚のラメラ構造が弛緩し、皮膚のバリア機能が低下する。バリア機能が低下した皮膚では、皮膚を構成する細胞間に孔が形成される。細胞間の孔は皮膚表面から皮膚内部に美容成分を浸透させる経路(以下「浸透経路」という)を形成する。美容成分は浸透経路を介して皮膚内部の深部に浸透する。
【００１４】
美容装置１０は経路形成機構１００を備えている。経路形成機構１００は美容装置１０に弛緩機能を付与する。経路形成機構１００は第１電極１１０および第２電極１２０を備えている。第１電極１１０および第２電極１２０は皮膚内部に浸透経路が形成されるように皮膚内部に電界を形成する。第１電極１１０および第２電極１２０の一方には他方よりも高電位が印加される。一例では、第１電極１１０には第２電極１２０よりも高電位が印加される。経路形成機構１００は周期的に電気パルスを発生することによりパルス電界を形成する。電気パルスは例えば直流パルスまたは交流パルスである。
【００１５】
美容装置１０は本体２０および浸透促進機構２００をさらに備えている。本体２０は美容装置１０の構造的基礎を構成している。一例では、本体２０は片手で持ち運びできるように構成されている。本体２０はケース２１を備えている。ケース２１は電気的な絶縁性を有する材料により形成されている。ケース２１の内部には、美容装置１０を構成する種々の要素を配置できるように空間が形成されている。ケース２１はハンドル２２およびヘッド２３を含む。ハンドル２２は片手で握ることができるように構成されている。ヘッド２３はハンドル２２の上部に設けられている。ケース２１の表面は第１面２１Ａおよび第２面２１Ｂを含む。第１面２１Ａはケース２１の中心面に対する一方に位置する。第２面２１Ｂはケース２１の中心面に対する他方に位置する。
【００１６】
経路形成機構１００は本体２０に設けられている。経路形成機構１００と本体２０との構造的な関係は任意に選択できる。第１例では、経路形成機構１００は本体２０に対して着脱可能である。第２例では、経路形成機構１００は本体２０に一体化される。図２に示されるように、経路形成機構１００はヘッド２３の第１面２１Ａに設けられている。経路形成機構１００が皮膚表面に配置された状態において、各電極１１０、１２０に電圧が印加されることにより皮膚内部に電界が形成される。経路形成機構１００が皮膚表面に配置された状態とは、各電極１１０、１２０により皮膚内部に適切に電界が形成されるように経路形成機構１００が皮膚表面に接触した状態、または、皮膚表面の近傍に配置された状態である。
【００１７】
浸透促進機構２００は美容装置１０に浸透機能を付与する。浸透促進機構２００は本体２０に設けられている。浸透促進機構２００と本体２０との構造的な関係は任意に選択できる。第１例では、浸透促進機構２００は本体２０に対して着脱可能である。第２例では、浸透促進機構２００は本体２０に一体化される。浸透促進機構２００は第３電極２１０および第４電極２２０を備えている。第３電極２１０および第４電極２２０は皮膚内部に微弱電流が流れるように皮膚に電圧を印加する電極である。図３に示されるように、第３電極２１０はヘッド２３の第２面２１Ｂに設けられている。図２に示されるように、第４電極２２０はハンドル２２の第１面２１Ａに設けられている。
【００１８】
第３電極２１０は皮膚に電圧を印加する電極面２１０Ａを含む。第３電極２１０は電極面２１０Ａがケース２１の外部に露出するようにヘッド２３に設けられている。第３電極２１０にはシートを取り付けることができる。シートは化粧品を含浸できるように構成される。シートは例えば不織布である。第４電極２２０は皮膚に電圧を印加する電極面２２０Ａを含む。第４電極２２０は電極面２２０Ａがケース２１の外部に露出するようにハンドル２２に設けられている。
【００１９】
浸透促進機構２００により皮膚に電圧を印加する場合、第３電極２１０が皮膚表面に配置され、第４電極２２０がハンドル２２を握る手の掌に接触する。第３電極２１０が皮膚表面に配置された状態とは、浸透促進機構２００により皮膚に適切に電圧を印加できるように第３電極２１０が皮膚表面に接触した状態、または、第３電極２１０が皮膚表面の近傍に配置された状態である。
【００２０】
第３電極２１０が皮膚表面に配置され、第４電極２２０が掌に接触した状態で各電極２１０、２２０に電圧が印加されることにより、第３電極２１０と皮膚との間に電位差が生じ、皮膚内部に微弱電流が流れる。この状態では、同種の電荷の間に働く電気的な反発力、または、電気浸透流により、浸透経路を介した皮膚内部への美容成分の浸透が促進される。美容成分の浸透の促進とは、皮膚表面から皮膚内部への美容成分の浸透が可能な状態において美容成分を皮膚内部に浸透させる作用が強められることをいう。
【００２１】
図４および図５を参照して、経路形成機構１００の詳細について説明する。図４に示されるように、経路形成機構１００は各電極１１０、１２０に加え、基板１３０およびカバー１４０をさらに備えている。基板１３０は電気的な絶縁性を有する材料により形成されている。基板１３０は例えばフレキシブルプリント基板である。基板１３０はベース、カバーレイ、および、接着層を含む。ベース、カバーレイ、および、接着層は電気的な絶縁性を有する材料により形成されている。一例では、ベースおよびカバーレイはポリイミドにより形成される。接着層はエポキシ系樹脂、アクリル系樹脂、または、ポリイミド系樹脂の接着材料により形成される。ベースおよびカバーレイは積層されている。カバーレイはベースを被覆する。接着層はベースとカバーレイとを接着するようにベースとカバーレイとの間に形成されている。第１電極１１０および第２電極１２０はベース上に形成された銅箔のパターンである。
【００２２】
カバー１４０は基板１３０に積層されている。カバー１４０は電気的な絶縁性を有する材料により形成されている。その一例はポリエチレンテレフタレートである。カバー１４０の形態は例えばシートである。カバー１４０により基板１３０が皮膚に対して電気的に絶縁されるため、皮膚が電気的な刺激から保護される。カバー１４０の具体的構成は任意に選択できる。第１例では、図４に示されるように、基板１３０上に１枚のカバー１４０が設けられる。１枚のカバー１４０は基板１３０における各電極１１０、１２０に対応する領域を被覆する。第２例では、基板１３０に沿うように複数枚のカバー１４０が基板１３０上に設けられる。１または複数枚の第１のカバー１４０は基板１３０における第１電極１１０に対応する領域を被覆する。１または複数枚の第２のカバー１４０は基板１３０における第２電極１２０に対応する領域を被覆する。
【００２３】
図５に示されるように、経路形成機構１００の各電極１１０、１２０は櫛歯電極である。第１電極１１０は基礎部１１１および複数の歯１１２を備えている。基礎部１１１の形状は第１方向に長い帯状である。基礎部１１１から複数の歯１１２が第２方向に突出している。第２電極１２０は基礎部１２１および複数の歯１２２を備えている。基礎部１２１の形状は第１方向に長い帯状である。基礎部１２１から複数の歯１２２が第２方向に突出している。第２方向は平面の基板１３０上、または、平面に投影された基板１３０上において第１方向に交差する。一例では、第２方向は第１方向に直交する。
【００２４】
第１電極１１０の歯１１２の形状は任意に設定できる。一例では、歯１１２の形状は第２方向に長い帯状である。歯１１２の中心軸は第２方向に平行である。各歯１１２の形状は同一である。歯１１２は第２方向に平行な直線部１１２Ａ、および、直線部１１２Ａに対して基礎部１１１とは反対側に設けられる先端部１１２Ｂを含む。先端部１１２Ｂの形状は丸みを帯びた形状である。第１方向における歯１１２の長さを「歯１１２の幅Ｗ１」と称する。第２方向における歯１１２の幅Ｗ１が一定ではない場合、歯１１２の幅Ｗ１は歯１１２の代表的な幅により規定される。歯１１２の代表的な幅について例示する。第１例では、歯１１２の代表的な幅は歯１１２の主要部の幅である。第２例では、歯１１２の代表的な幅は歯１１２における複数の部分の幅の平均である。第３例では、歯１１２の代表的な幅は歯１１２における最も狭い部分の幅である。第４例では、歯１１２の代表的な幅は歯１１２における最も広い部分の幅である。図示される例では、直線部１１２Ａは歯１１２の主要部を構成している。直線部１１２Ａの幅は一定である。直線部１１２Ａの幅は歯１１２の代表的な幅に相当する。各歯１１２の幅Ｗ１は互いに等しい。
【００２５】
第２電極１２０の歯１２２の形状は任意に設定できる。一例では、歯１２２の形状は第２方向に長い帯状である。歯１２２の中心軸は第２方向に平行である。各歯１２２の形状は同一である。歯１２２は第２方向に平行な直線部１２２Ａ、および、直線部１２２Ａに対して基礎部１２１とは反対側に設けられる先端部１２２Ｂを含む。先端部１２２Ｂの形状は丸みを帯びた形状である。第１方向における歯１２２の長さを「歯１２２の幅Ｗ２」と称する。第２方向における歯１２２の幅Ｗ２が一定ではない場合、歯１２２の幅Ｗ２は歯１２２の代表的な幅により規定される。歯１２２の代表的な幅について例示する。第１例では、歯１２２の代表的な幅は歯１２２の主要部の幅である。第２例では、歯１２２の代表的な幅は歯１２２における複数の部分の幅の平均である。第３例では、歯１２２の代表的な幅は歯１２２における最も狭い部分の幅である。第４例では、歯１２２の代表的な幅は歯１２２における最も広い部分の幅である。図示される例では、直線部１２２Ａは歯１２２の主要部を構成している。直線部１２２Ａの幅は一定である。直線部１２２Ａの幅は歯１２２の代表的な幅に相当する。各歯１２２の幅Ｗ２は互いに等しい。
【００２６】
第１電極１１０の歯１１２の数および第２電極１２０の歯１２２の数は任意に設定できる。第１例では、第１電極１１０の歯１１２の数と第２電極１２０の歯１２２の数とは異なる。第２例では、第１電極１１０の歯１１２の数は第２電極１２０の歯１２２の数よりも多い。第３例では、図５に示されるように、第１電極１１０の歯１１２は第２電極１２０の歯１２２よりも１本多い。第４例では、第２電極１２０の歯１２２の数は第１電極１１０の歯１１２の数よりも多い。第５例では、第２電極１２０の歯１２２は第１電極１１０の歯１１２よりも１本多い。第６例では、第１電極１１０の歯１１２の数と第２電極１２０の歯１２２の数とは等しい。
【００２７】
基板１３０における第１電極１１０の総面積と第２電極１２０の総面積との関係は任意に設定できる。第１例では、第１電極１１０の総面積と第２電極１２０の総面積とは異なる。第２例では、第１電極１１０の総面積は第２電極１２０の総面積よりも広い。第３例では、第２電極１２０の総面積は第１電極１１０の総面積よりも広い。第１例〜第３例において各総面積の差をもたらす主要な因子は、例えば第１電極１１０の歯１１２の数と第２電極１２０の歯１２２の数との差である。第４例では、第１電極１１０の総面積と第２電極１２０の総面積とは等しい。本願発明者の知見によれば、総面積が広い第１電極１１０に高電位が印加された場合、皮膚内部に強い電界が形成されやすい。これは皮膚のバリア機能を低下させる作用を強めることに寄与する。
【００２８】
第１電極１１０の各歯１１２および第２電極１２０の各歯１２２は第１方向において交互に配置されている。第１電極１１０の各歯１１２のうち、第１方向の両端のそれぞれに設けられた歯１１２を「端部歯１１３」と称する。第１電極１１０の各歯１１２のうち、各端部歯１１３以外の各歯１１２は第１方向において一方の端部歯１１３と他方の端部歯１１３との間に配置されている。第２電極１２０の各歯１２２は第１方向において、一方の端部歯１１３と他方の端部歯１１３との間に配置されている。
【００２９】
第１電極１１０の各端部歯１１３以外の各歯１１２はそれぞれ第２電極１２０の歯１２２と歯１２２との間に配置されている。一方の端部歯１１３以外の各歯１１２の先端部１１２Ｂは第２電極１２０の基礎部１２１に対向している。第２電極１２０の各歯１２２はそれぞれ第１電極１１０の歯１１２と歯１１２との間に配置されている。第２電極１２０の各歯１２２の先端部１２２Ｂは第１電極１１０の基礎部１１１に対向している。一例では、第１電極１１０の歯１１２の形状および第２電極１２０の歯１２２の形状は同一である。これは皮膚内部に形成される電界の均一性を高めることに寄与する。
【００３０】
複数の歯１１２および複数の歯１２２が基板１３０に設けられているため、各電極１１０、１２０により形成される電界が面状に分布し、皮膚内部の広い範囲に電界が形成される。一方の端部歯１１３と他方の端部歯１１３との間に他の複数の歯１１２および複数の歯１２２が配置されているため、皮膚内部における経路形成機構１００に対応する領域外への電界の広がりが各端部歯１１３により抑えられ、皮膚内部に効率的に電界が形成される。
【００３１】
第１方向において隣接する第１電極１１０の歯１１２と第２電極１２０の歯１２２との間には、これらの歯１１２、１２２を絶縁する非導電部１３１が設けられている。非導電部１３１は例えば基板１３０の接着層により構成される。一例では、第１方向において隣接する歯１１２と歯１２２との間隔Ｄは第２方向に一定である。ただし、歯１１２の先端部１１２Ｂに対応する部分、および、歯１２２の先端部１２２Ｂに対応する部分を除く。一定に設定された間隔Ｄは皮膚内部に形成される電界の均一性を高めることに寄与する。
【００３２】
歯１１２の幅Ｗ１および歯１２２の幅Ｗ２と間隔Ｄとの関係は任意に設定できる。間隔Ｄは第１方向において隣接する第１電極１１０の歯１１２の縁と第２電極１２０の歯１２２の縁との距離である。第１例では、間隔Ｄは第１電極１１０の歯１１２の幅Ｗ１および第２電極１２０の歯１２２の幅Ｗ２の一方よりも狭い。第２例では、間隔Ｄは歯１１２の幅Ｗ１および歯１２２の幅Ｗ２の両方よりも狭い。第３例では、間隔Ｄは第１電極１１０の歯１１２の幅Ｗ１および第２電極１２０の歯１２２の幅Ｗ２の一方と等しい。第４例では、間隔Ｄは第１電極１１０の歯１１２の幅Ｗ１および第２電極１２０の歯１２２の幅Ｗ２の両方と等しい。第５例では、間隔Ｄは第１電極１１０の歯１１２の幅Ｗ１および第２電極１２０の歯１２２の幅Ｗ２の一方よりも広い。第６例では、間隔Ｄは第１電極１１０の歯１１２の幅Ｗ１および第２電極１２０の歯１２２の幅Ｗ２の両方よりも広い。第１例〜第６例における第１電極１１０の歯１１２の幅Ｗ１は、複数の方法により規定可能な歯１１２の代表的な幅のうちの少なくとも１つである。第１例〜第６例における第２電極１２０の歯１２２の幅Ｗ２は、複数の方法により規定可能な歯１２２の代表的な幅のうちの少なくとも１つである。第１例〜第６例における間隔Ｄは、複数の方法により規定可能な歯１１２の代表的な幅のうちの少なくとも１つを規定する歯１１２の部分の縁と、複数の方法により規定可能な歯１２２の代表的な幅のうちの少なくとも１つを規定する歯１２２の部分の縁との距離である。
【００３３】
間隔Ｄに対する第１電極１１０の歯１１２の幅Ｗ１または第２電極１２０の歯１２２の幅Ｗ２の割合を「幅間隔比」と称する。幅間隔比は第１電極１１０の歯１１２の幅Ｗ１または第２電極１２０の歯１２２の幅Ｗ２を間隔Ｄで除することにより求められる。幅間隔比は任意に設定できる。間隔Ｄが歯１１２の幅Ｗ１と等しい場合、間隔Ｄおよび歯１１２の幅Ｗ１により規定される幅間隔比は１である。間隔Ｄが歯１１２の幅Ｗ１よりも狭い場合、間隔Ｄおよび歯１１２の幅Ｗ１により規定される幅間隔比は１よりも大きい。間隔Ｄが歯１１２の幅Ｗ１よりも広い場合、間隔Ｄおよび歯１１２の幅Ｗ１により規定される幅間隔比は１よりも小さい。間隔Ｄが歯１２２の幅Ｗ２と等しい場合、間隔Ｄおよび歯１２２の幅Ｗ２により規定される幅間隔比は１である。間隔Ｄが歯１２２の幅Ｗ２よりも狭い場合、間隔Ｄおよび歯１２２の幅Ｗ２により規定される幅間隔比は１よりも大きい。間隔Ｄが歯１２２の幅Ｗ２よりも広い場合、間隔Ｄおよび歯１２２の幅Ｗ２により規定される幅間隔比は１よりも小さい。
【００３４】
幅間隔比の具体例について例示する。第１例では、幅間隔比は１以上かつ３以下である。すなわち、歯１１２の幅Ｗ１および歯１２２の幅Ｗ２の少なくとも一方は間隔Ｄの１倍以上かつ３倍以下である。この例では、幅間隔比が１未満の場合と比較して皮膚内部への美容成分の浸透性が向上する。また、幅間隔比が３超の場合と比較して各電極１１０、１２０の製造に適した間隔Ｄが確保され、経路形成機構１００の製造性が向上する。第２例では、幅間隔比は１超かつ２．５以下である。すなわち、歯１１２の幅Ｗ１および歯１２２の幅Ｗ２の少なくとも一方は間隔Ｄの１倍超かつ２．５倍以下である。この例では、第１例と比較して皮膚内部への美容成分の浸透性が向上する。第３例では、幅間隔比は２超かつ２．５以下である。すなわち、歯１１２の幅Ｗ１および歯１２２の幅Ｗ２の少なくとも一方は間隔Ｄの２倍超かつ２．５倍以下である。この例では、第２例と比較して皮膚内部への美容成分の浸透性が向上する。第３例では、幅間隔比は１．８超かつ２．２以下である。すなわち、歯１１２の幅Ｗ１および歯１２２の幅Ｗ２の少なくとも一方は間隔Ｄの１．８倍超かつ２．２倍以下である。この例では、第１例と比較して皮膚内部への美容成分の浸透性が一層向上し、第１例〜第３例と比較して経路形成機構１００の製造性が向上し、製造コストが低減する。
【００３５】
図４に示されるように、経路形成機構１００は取付部１５０をさらに備えている。取付部１５０は枠１５１および導電部１５２を備えている。枠１５１は本体２０に着脱できるように構成されている。枠１５１は電気的な絶縁性を有する材料により形成されている。積層された基板１３０およびカバー１４０は枠１５１に取り付けられている。取付部１５０が本体２０に取り付けられた状態では、基板１３０およびカバー１４０の形状は平面的な形状、または、皮膚をソフトに押すような曲面的な形状である。枠１５１には、カバー１４０における各電極１１０、１２０に対応する領域を露出させる開口部１５１Ａが形成されている。経路形成機構１００が皮膚表面に配置された状態では、各電極１１０、１２０はカバー１４０および開口部１５１Ａを介して皮膚表面に面する。
【００３６】
導電部１５２は枠１５１の表面に設けられている。導電部１５２は開口部１５１Ａの空間を介して露出する各電極１１０、１２０の周囲の一部または全部を取り囲むように枠１５１に設けられている。導電部１５２の形成箇所は任意に選択できる。他の例では、導電部１５２は各電極１１０、１２０の周囲の一部または全部を取り囲むようにカバー１４０に設けられる。
【００３７】
導電部１５２は各電極１１０、１２０に対して電気的に絶縁されている。導電部１５２は導電性を有する材料により形成されている。その一例はインジウムである。導電部１５２は枠１５１の表面に塗装された塗料である。塗料は多数の小さな金属片、および、多数の微小な金属粒子の少なくとも一方を含有する。塗料に含有される金属片および金属粒子の少なくとも一方は塗料中に分散している。本願発明者の知見によれば、経路形成機構１００が皮膚表面に配置された状態において各電極１１０、１２０が導電部１５２に取り囲まれることにより、各電極１１０、１２０により形成される電界に導電部１５２が影響し、皮膚のバリア機能を低下させる作用が強められる。
【００３８】
図６に示されるように、美容装置１０は温度調整部３０をさらに備えている。温度調整部３０はヘッド２３に設けられている。温度調整部３０は皮膚の温度を調節することにより浸透経路の形成、および、皮膚内部への美容成分の浸透の少なくとも一方を補助する。温度調整部３０は皮膚の温度を上昇させる加熱部３１、および、皮膚の温度を低下させる冷却部３２の少なくとも一方を備えている。一例では、温度調整部３０は加熱部３１および冷却部３２の両方を備えている。
【００３９】
加熱部３１は皮膚のバリア機能を低下させるために用いられる。経路形成機構１００により皮膚内部に電界が形成される場合、加熱部３１は浸透経路の形成が促進されるように皮膚の温度を調節する。皮膚内部に電界が形成された状態において皮膚の温度が上昇する場合、皮膚のバリア機能を低下させる作用が強くなる。これは皮膚のバリア機能が低下する速度を上昇させ、皮膚内部への美容成分の浸透に関する効率を高めることに寄与する。
【００４０】
冷却部３２は皮膚のバリア機能が低下した状態を保つために用いられる。浸透促進機構２００により皮膚内部に微弱電流が流れる場合、冷却部３２は皮膚内部に美容成分が浸透する状態が保たれるように皮膚の温度を調節する。皮膚のバリア機能が低下した状態において皮膚の温度が低下する場合、皮膚のラメラ構造における脂質の流動性が低下し、弛緩したラメラ構造の回復速度が低下する。これは皮膚のバリア機能が元の状態に戻る速度を低下させ、皮膚内部に美容成分が浸透可能な状態を持続させ、皮膚内部への美容成分の浸透に関する効率を高めることに寄与する。
【００４１】
加熱部３１は直接的または間接的に皮膚を加熱する。一例では、加熱部３１は経路形成機構１００を介して皮膚を加熱する。加熱部３１は各電極１１０、１２０を加熱する。各電極１１０、１２０が加熱されることにより各電極１１０、１２０を被覆するカバー１４０が加熱され、カバー１４０に接触する皮膚表面、または、カバー１４０の近傍に位置する皮膚表面が加熱される。加熱部３１の具体的構成は任意に選択できる。第１例では、加熱部３１は冷却部３２とは個別に構成される。加熱部３１はヒータを備える。ヒータは各電極１１０、１２０に対して直接的または間接的に熱的に接続される。ヒータはジュール熱により各電極１１０、１２０を加熱する。第２例では、図６に示されるように、加熱部３１は冷却部３２と一体的に構成される。加熱部３１はペルチェ素子３３の発熱面３３Ａを備える。発熱面３３Ａは各電極１１０、１２０に対して直接的または間接的に熱的に接続される。
【００４２】
冷却部３２は直接的または間接的に皮膚を加熱する。一例では、冷却部３２は浸透促進機構２００の第３電極２１０を介して皮膚を冷却する。冷却部３２は第３電極２１０の熱を吸熱する。第３電極２１０が吸熱されることにより第３電極２１０に接触する皮膚表面、または、第３電極２１０の近傍に位置する皮膚表面が吸熱される。冷却部３２の具体的構成は任意に選択できる。第１例では、冷却部３２は加熱部３１とは個別に構成される。冷却部３２はヒートシンクおよび電動ファンを備える。ヒートシンクは第３電極２１０に対して直接的または間接的に熱的に接続される。電動ファンはヒートシンクを冷却する。第２例では、図６に示されるように、冷却部３２は加熱部３１と一体的に構成される。冷却部３２はペルチェ素子３３の吸熱面３３Ｂを備える。吸熱面３３Ｂは第３電極２１０に対して直接的または間接的に熱的に接続される。
【００４３】
温度調整部３０がペルチェ素子３３を備える形態では、経路形成機構１００の加熱と第３電極２１０の冷却とが同時に行われる。これはエネルギーの使用に関する効率の向上に寄与する。ペルチェ素子３３が加熱部３１および冷却部３２を構成するため、温度調整部３０が小型化され、美容装置１０が軽量化される。
【００４４】
温度調整部３０は熱伝導部３４をさらに備えている。熱伝導部３４はヘッド２３に設けられている。熱伝導部３４は第１熱伝導部３４Ａおよび第２熱伝導部３４Ｂを含む。第１熱伝導部３４Ａは加熱部３１と経路形成機構１００との間に設けられている。第１熱伝導部３４Ａは加熱部３１と経路形成機構１００とを熱的に接続している。加熱部３１の熱は第１熱伝導部３４Ａを介して経路形成機構１００の各電極１１０、１２０に流れる。第２熱伝導部３４Ｂは冷却部３２と第３電極２１０との間に設けられている。第２熱伝導部３４Ｂは冷却部３２と第３電極２１０とを熱的に接続している。第３電極２１０の熱は第２熱伝導部３４Ｂを介して冷却部３２に流れる。熱伝導部３４の具体的構成は任意に選択できる。一例では、熱伝導部３４は熱伝導性が高い金属部材、または、ヒートパイプを備える。
【００４５】
図７に示されるように、美容装置１０は操作部４０、検知部５０、報知部６０、記憶部７０、制御装置８０、および、電源部９０をさらに備えている。電源部９０は美容装置１０に設けられる電気的要素に電力を供給する。電源部９０は電源ユニットを備えている。電源ユニットは商用交流電源の電力、または、美容装置１０に設けられる電池の電力を電気的要素に供給する。経路形成機構１００、浸透促進機構２００、温度調整部３０、検知部５０、報知部６０、記憶部７０、および、制御装置８０は電源部９０から供給される電力により動作する。図３に示されるように、操作部４０は本体２０に設けられている。操作部４０は美容装置１０の電源のオンオフを切り替えるスイッチ、および、美容装置１０の動作モードを選択するスイッチ等を含む。操作部４０の操作に応じて、電源部９０から電気的要素に電力が供給されるオン状態と電力が供給されないオフ状態とが切り替えられる。
【００４６】
検知部５０は美容装置１０に関する状態を検知する。一例では、検知部５０は第１検知部５１および第２検知部５２を備えている。各検知部５１、５２は検知の結果を含む検知信号を制御装置８０に送信する。第１検知部５１は経路形成機構１００が皮膚表面に配置されているか否かを検知する。第１検知部５１は経路形成機構１００が皮膚表面に配置されている場合、第１検知信号を制御装置８０に送信する。一例では、第１検知部５１は接触検知センサを備えている。接触検知センサは経路形成機構１００が皮膚表面に接触していること、または、経路形成機構１００が皮膚表面の近傍に配置されていることを検知する。接触検知センサの具体的構成は任意に選択できる。一例では、接触検知センサは静電容量の変化を利用して接触を検知するセンサ、感圧導電性ゴムの電気抵抗値の変化を利用して接触を検知するセンサ、または、受光素子が発光素子から受光する光量の変化を利用して接触を検知するセンサである。
【００４７】
第２検知部５２は浸透促進機構２００の第３電極２１０が皮膚表面に配置されているか否かを検知する。第２検知部５２は第３電極２１０が皮膚表面に配置されている場合、第２検知信号を制御装置８０に送信する。一例では、第２検知部５２は接触検知センサを備えている。接触検知センサは第３電極２１０が皮膚表面に接触していること、または、第３電極２１０が皮膚表面の近傍に配置されていることを検知する。接触検知センサの具体的構成は第１検知部５１の接触検知センサと同様に任意に選択できる。
【００４８】
報知部６０は美容装置１０に関する情報を出力する。報知部６０は制御装置８０から受信する信号に応じて情報を出力する。報知部６０による情報の出力方法は任意に選択できる。一例では、報知部６０は視覚的情報、聴覚的情報、および、皮膚感覚的情報の少なくとも１つを出力する。視覚的情報は例えば可視光を含む。視覚的情報を出力する手段は例えばランプおよびディスプレイの少なくとも一方である。聴覚的情報は例えば可聴域の周波数の音を含む。聴覚的情報を出力する手段は例えばスピーカーである。皮膚感覚的情報は例えば皮膚に知覚される物体の接触を含む。振動する物体の接触も皮膚感覚的情報に含まれる。皮膚感覚的情報を出力する手段は例えばバイブレータである。経路形成機構１００または浸透促進機構２００が皮膚表面に配置され、ユーザが本体２０を視認しにくい状態では、皮膚感覚的情報および聴覚的情報の少なくとも一方が報知部６０により出力されることが好ましい。
【００４９】
制御装置８０は美容装置１０に設けられた制御対象を制御できるように構成されている。一例では、制御対象には経路形成機構１００、浸透促進機構２００、温度調整部３０、および、報知部６０が含まれる。制御装置８０は操作部４０から受信する信号、検知部５０から受信する信号、および、記憶部７０に記憶されている情報等を参照して制御対象を制御する。記憶部７０は制御装置８０の制御において参照される各種の情報等を記憶できるように構成されている。記憶部７０は例えば不揮発性メモリおよび揮発性メモリを備えている。制御装置８０は経路形成機構１００に電圧を印加する回路を構成する部品、浸透促進機構２００に電圧を印加する回路を構成する部品、温度調整部３０に電流を流す回路を構成する部品、および、制御に関する演算等を実行するプロセッサを備えている。制御装置８０に設けられる部品およびプロセッサ等は複数の機能部を構成している。一例では、複数の機能部には判定部８１、計時部８２、第１電圧制御部８３、第２電圧制御部８４、温度制御部８５、および、報知制御部８６が含まれる。
【００５０】
判定部８１は検知部５０から受信した検知信号を参照して美容装置１０の状態を判定する。判定部８１は第１検知部５１から第１検知信号を受信した場合、経路形成機構１００が皮膚表面に配置されていると判定し、第１判定信号を第１電圧制御部８３および計時部８２に送信する。判定部８１は第２検知部５２から第２検知信号を受信した場合、第３電極２１０が皮膚表面に配置されていると判定し、第２判定信号を第２電圧制御部８４および計時部８２に送信する。
【００５１】
計時部８２は、判定部８１から受信した判定信号を参照して種々の時間を計測する。計時部８２は美容装置１０の電源をオンするオン信号を操作部４０から受信した場合、準備時間の計測を開始する。準備時間は美容装置１０のオン状態にともない温度調整部３０に電流が供給された時間を示す。準備時間が準備完了時間に到達した場合、計時部８２は準備完了信号を報知制御部８６に送信する。準備時間が準備完了時間以上の状態では、経路形成機構１００の温度が第１所定温度以上であると推測できる。経路形成機構１００の温度が第１所定温度以上である場合、皮膚のバリア機能を低下させる作用が好適に促進される。
【００５２】
計時部８２は判定部８１から第１検知信号を受信した場合、第１経過時間の計測を開始する。第１経過時間は経路形成機構１００が皮膚表面に配置された状態が継続した時間を示す。第１経過時間が第１所定時間に到達した場合、計時部８２は第１経過信号を第１電圧制御部８３および報知制御部８６に送信する。第１経過時間が第１所定時間以上の状態では、経路形成機構１００が形成する電界の作用により皮膚内部に浸透経路が形成されていると推測できる。
【００５３】
計時部８２は判定部８１から第２検知信号を受信した場合、第２経過時間の計測を開始する。第２経過時間は第３電極２１０が皮膚表面に配置された状態が継続した時間を示す。第２経過時間が第２所定時間に到達した場合、計時部８２は第２経過信号を第２電圧制御部８４および報知制御部８６に送信する。第２経過時間が第２所定時間以上の状態では、浸透促進機構２００が流す微弱電流の作用により皮膚内部に一定量の美容成分が浸透していると推測できる。
【００５４】
第１電圧制御部８３は経路形成機構１００の各電極１１０、１２０に印加される電圧を制御する。第１電圧制御部８３は判定部８１から第１検知信号を受信した場合、各電極１１０、１２０への電圧の印加を開始する。第１電圧制御部８３は第１電極１１０に対して第２電極１２０よりも高い電圧を印加する。一例では、第１電圧制御部８３は経路形成機構１００の各電極１１０、１２０に直流パルス電圧を周期的に印加する。直流パルス電圧のデューティ比および周波数は第１電圧制御部８３により設定される。デューティ比は一定の周期で出力されるパルスのオン時間とオフ時間との比率である。デューティ比はパルスの１周期におけるオン時間を１周期で除することにより求められる。記憶部７０は第１電圧制御情報を記憶している。第１電圧制御情報は１または複数のデューティ比に関する情報、および、１または複数の周波数に関する情報を含む。第１電圧制御部８３は第１電圧制御情報を参照してデューティ比および周波数を設定する。第１電圧制御情報に複数のデューティ比に関する情報が含まれる場合、第１電圧制御部８３は第１選択条件に従ってデューティ比を設定する。第１電圧制御情報に複数の周波数に関する情報が含まれる場合、第１電圧制御部８３は第２選択条件に従って周波数を設定する。第１選択条件および第２選択条件は例えば操作部４０の操作に応じて設定される。
【００５５】
デューティ比は任意に設定できる。第１例では、デューティ比は５０％超かつ８５％以下である。この例では、デューティ比が５０％の場合、および、デューティ比が５０％未満の場合と比較して皮膚内部への美容成分の浸透性が向上する。第２例では、デューティ比は７５％以上かつ８５％以下である。この例では、デューティ比が５０％の場合、および、デューティ比が５０％超かつ７５％未満の場合と比較して皮膚内部への美容成分の浸透性が向上する。
【００５６】
第２電圧制御部８４は浸透促進機構２００の各電極２１０、２２０に印加される電圧を制御する。第２電圧制御部８４は判定部８１から第２検知信号を受信した場合、各電極２１０、２２０への電圧の印加を開始する。第２電圧制御部８４は第３電極２１０に対して第４電極２２０よりも高い電圧を印加する。各電極２１０、２２０に印加される電圧(以下「印加電圧」という)、および、電圧が印加される時間(以下「印加時間」という)は第２電圧制御部８４により設定される。記憶部７０は第２電圧制御情報を記憶している。第２電圧制御情報は１または複数の印加電圧に関する情報、および、１または複数の印加時間に関する情報を含む。第２電圧制御部８４は第２電圧制御情報を参照して印加電圧および印加時間を設定する。第２電圧制御情報に複数の印加電圧に関する情報が含まれる場合、第２電圧制御部８４は第３選択条件に従って印加電圧を設定する。第２電圧制御情報に複数の印加時間に関する情報が含まれる場合、第２電圧制御部８４は第４選択条件に従って印加時間を設定する。第３選択条件および第４選択条件は例えば操作部４０の操作に応じて設定される。
【００５７】
温度制御部８５は温度調整部３０に供給される電流を制御する。一例では、温度制御部８５は操作部４０から受信した操作信号に応じて温度調整部３０を制御する。具体的には、温度制御部８５は美容装置１０をオン状態に設定する操作信号を受信した場合、温度調整部３０に所定の電流を供給する。温度制御部８５は美容装置１０をオフ状態に設定する操作信号を受信した場合、温度調整部３０への電流の供給を停止する。
【００５８】
報知制御部８６は報知部６０を制御する。報知制御部８６は計時部８２から受信した信号に応じて報知部６０に情報を出力させる。一例では、報知制御部８６は次のように各種の情報を報知部６０に出力させる。報知制御部８６は計時部８２から準備完了信号を受信した場合、経路形成機構１００を対象部位の皮膚表面に配置することを促す情報を報知部６０に出力させる。報知制御部８６は計時部８２から第１経過信号を受信した場合、浸透促進機構２００の第３電極２１０を対象部位の皮膚表面に配置することを促す情報を報知部６０に出力させる。報知制御部８６は計時部８２から第２経過信号を受信した場合、美容成分の浸透方法の１セットが完了したことを案内する情報を報知部６０に出力させる。
【００５９】
図８を参照して、美容装置１０を用いた美容成分の浸透方法について説明する。美容成分の浸透方法は例えば３つのフェーズに区分される。第１フェーズは経路形成機構１００の温度が皮膚のバリア機能の低下の促進に適した温度となるように加熱部３１により経路形成機構１００を加熱するフェーズである。第２フェーズは第１フェーズの完了後、経路形成機構１００を皮膚表面に配置し、電界の作用により皮膚のバリア機能を低下させ、皮膚内部に浸透経路を形成するフェーズである。第３フェーズは第２フェーズの完了後、浸透促進機構２００を皮膚表面に配置し、浸透促進機構２００と皮膚との電位差により皮膚内部への美容成分の浸透を促進させるフェーズである。美容成分の浸透方法の具体的手順の一例を以下に示す。
【００６０】
ステップＳ１１では、一方の手で本体２０のハンドル２２が握られる。浸透促進機構２００の第４電極２２０が掌に接触する。ステップＳ１２では、美容装置１０の電源がオンになるように操作部４０が操作される。温度調整部３０による経路形成機構１００の加熱、および、浸透促進機構２００の第３電極２１０の冷却が開始される。計時部８２による準備時間の計時が開始される。ステップＳ１３では、準備時間が準備完了時間に到達したことにともない第１フェーズが完了したことを示す情報が報知部６０により出力される。
【００６１】
ステップＳ２１では、化粧品の美容成分を浸透させる人体の対象部位の皮膚表面に経路形成機構１００が配置される。ステップＳ２２では、皮膚表面に経路形成機構１００が配置されたことが第１検知部５１により検知され、経路形成機構１００の各電極１１０、１２０に直流パルス電圧が印加され、計時部８２による第１経過時間の計時が開始される。直流パルス電圧に応じたパルス電界が皮膚内部に形成され、パルス電界により皮膚のバリア機能が低下し、美容成分が浸透可能な浸透経路が皮膚内部に形成される。皮膚表面に配置された経路形成機構１００から皮膚に熱が流れ、皮膚が加熱され、皮膚のラメラ構造の弛緩によるバリア機能の低下が促進される。これは第３フェーズに移行するまでに要する時間の短縮、および、皮膚内部への美容成分の浸透性を向上させることに寄与する。ステップＳ２３では、第１経過時間が第１所定時間に到達したことにともない第２フェーズが完了したことを示す情報が報知部６０により出力される。
【００６２】
ステップＳ３１では、浸透促進機構２００の第３電極２１０が皮膚表面に配置される。ステップＳ２１において経路形成機構１００が配置される前からステップＳ３１において第３電極２１０が配置される前までの期間に皮膚表面に化粧品が塗布される。一例では、ステップＳ３１において第３電極２１０が配置される直前に皮膚表面に化粧品が塗布される。ステップＳ３２では、第３電極２１０が皮膚表面に配置されたことが第２検知部５２により検知され、浸透促進機構２００の各電極２１０、２２０に電圧が印加され、計時部８２による第２経過時間の計時が開始される。電圧の印加により皮膚内部に微弱電流が流れ、皮膚内部への美容成分の浸透が促進される。皮膚の熱が皮膚表面に配置された第３電極２１０に吸熱され、皮膚のラメラ構造が徐々に冷却され、脂質の流動性が低下し、弛緩したラメラ構造の回復速度が低下する。皮膚のバリア機能が低下した状態が長く維持され、皮膚内部への美容成分の浸透が促進される状態も維持される。ステップＳ３３では、第２経過時間が第２所定時間に到達したことにともない第３フェーズが完了したことを示す情報が報知部６０により出力される。
【００６３】
(実施例)
美容装置１０を用いた美容成分の浸透方法に関する美容成分の浸透性を評価する第１試験および第２試験を実施した。第１試験では、経路形成機構１００の幅間隔比と美容成分の浸透性との関係を確認した。第２試験では、経路形成機構１００のデューティ比と美容成分の浸透性との関係を確認した。
【００６４】
第１試験の詳細について説明する。第１試験の条件は次のとおりである。化粧品の美容成分はヒアルロン酸である。美容成分を浸透させる被験者の対象部位は前腕内側である。対象部位の皮膚表面に塗布される試料はヒアルロン酸水溶液である。試料が塗布される皮膚表面の範囲は各辺が２ｃｍの正方形である。ヒアルロン酸水溶液のヒアルロン酸の分子量は５０００〜１００００である。ヒアルロン酸水溶液の濃度は０．３ｍｇ／ｍＬである。幅間隔比の水準は５水準である。具体的には幅間隔比の水準は０．２、０．５、１、２、２．５である。直流パルス電圧のデューティ比の水準は１水準である。具体的には直流パルス電圧のデューティ比は５０％である。
【００６５】
第１試験の手順は次のとおりである。最初に、第１フェーズが実行される。次に、皮膚表面にヒアルロン酸水溶液が塗布される。次に、第２フェーズが実行される。第２フェーズでは、皮膚表面に配置された経路形成機構１００の各電極１１０、１２０に直流パルス電圧が印加される。各電極１１０、１２０に印加される電圧は３７Ｖである。直流パルス電圧の周波数は１ｋＨｚである。次に、第３フェーズが実行される。第３フェーズでは、皮膚表面に配置された第３電極２１０、および、掌に接触した第４電極２２０に電圧が印加される。各電極２１０、２２０に印加される電圧は１０Ｖである。電圧が印加される時間は６秒である。次に、皮膚の角質が採取される。採取方法はテープストリッピング法である。採取される皮膚の範囲は直径２２ｍｍである。次に、採取された角質が測定用バッファーに溶脱され、ヒアルロン酸定量用ＥＬＩＳＡキットで反応させられる。次に、吸光度分析によりヒアルロン酸量が定量化される。
【００６６】
図９は第１試験における幅間隔比と定量化されたヒアルロン酸量の浸透比との関係を示す。グラフのＸ軸は幅間隔比を示す。グラフのＹ軸は浸透比を示す。浸透比は任意の幅間隔比に対応するヒアルロン酸量を幅間隔比が０．５の場合のヒアルロン酸量で除した値である。幅間隔比が１の場合の浸透比は１である。幅間隔比が０．５未満の場合、幅間隔比が０．５の場合と比較して浸透比が低下している。幅間隔比が０．５よりも大きい場合、幅間隔比が０．５の場合と比較して浸透比が増加している。幅間隔比が２または２．５の場合では、幅間隔比が０．５の場合と比較して浸透比が大きく増加している。
【００６７】
電気パルスによる電気的な振動により皮膚のラメラ構造が弛緩することにともない、経路形成機構１００により形成されるパルス電界が皮膚表面の近傍だけではなく皮膚内部の深部まで到達し、皮膚内部へのヒアルロン酸水溶液の浸透が好適に促進されると推測される。櫛歯電極である各電極１１０、１２０の各歯１１２、１２２が交互に配置され、各歯１１２、１２２が対向する部分が広範囲に形成される場合、間隔Ｄが狭くなるほど皮膚内部の深部まで電界が到達すると推測される。第１試験の結果によれば、間隔Ｄが歯１１２の幅Ｗ１または歯１２２の幅Ｗ２よりも狭い場合、ヒアルロン酸の浸透性が向上することが確認された。歯１１２の幅Ｗ１または歯１２２の幅Ｗ２が広いことにより、各電極１１０、１２０が設けられた基板１３０において各歯１１２、１２２が対向する部分に蓄えられる電荷の量が増加していると推測される。
【００６８】
第２試験の詳細について説明する。第２試験の条件は次のとおりである。化粧品の美容成分はヒアルロン酸である。美容成分を浸透させる被験者の対象部位は前腕内側である。対象部位の皮膚表面に塗布される試料はヒアルロン酸水溶液である。試料が塗布される皮膚表面の範囲は各辺が２ｃｍの正方形である。ヒアルロン酸水溶液のヒアルロン酸の分子量は５０００〜１００００である。ヒアルロン酸水溶液の濃度は０．３ｍｇ／ｍＬである。幅間隔比の水準は１水準である。具体的には幅間隔比は０．５である。直流パルス電圧のデューティ比の水準は９水準である。具体的には直流パルス電圧のデューティ比は０％、１０％、２０％、３０％、５０％、７５％、８５％、９５％、１００％である。第２試験の手順は第１試験の手順と同様である。
【００６９】
図１０は第２試験により得られたデューティ比と浸透比との関係を示す。グラフのＸ軸はデューティ比を示す。グラフのＹ軸は定量化されたヒアルロン酸量の浸透比を示す。浸透比は任意のデューティ比に対応するヒアルロン酸量をデューティ比が５０％の場合のヒアルロン酸量で除した値である。デューティ比が５０％の場合の浸透比は１である。デューティ比が５０％未満の場合、デューティ比が５０％の場合と比較して浸透比が低下している。デューティ比が５０％超かつ８５％以下の場合、デューティ比が５０％の場合と比較して浸透比が増加している。デューティ比が７５％以上かつ８５％以下の場合、デューティ比が５０％の場合と比較して浸透比が大きく増加している。デューティ比が９０％の場合、デューティ比が５０％の場合と比較して浸透比が増加し、デューティ比が５０％超かつ８５％以下の場合と比較して浸透比が低下ししている。デューティ比が９５％の場合、デューティ比が５０％の場合と比較して浸透比が低下している。
【００７０】
第２試験によれば、デューティ比が５０％超かつ８５％以下の場合、ヒアルロン酸水溶液の浸透性が向上することが確認された。デューティ比が７５％以上かつ８５％以下の場合、ヒアルロン酸水溶液の浸透性が大きく向上することが確認された。デューティ比が０％または１００％の場合では皮膚のラメラ構造に電気的な振動が与えられないため、ラメラ構造を弛緩させる作用が得られないと推測される。この点を考慮すると、ラメラ構造を弛緩させるための好ましいデューティ比は０％と１００％との中間の５０％と考えることもできる。しかし、第２試験の結果はデューティ比が５０％の場合よりもデューティ比が５０％超かつ８５％以下の場合の方がラメラ構造を弛緩する作用が強くなることを示唆している。一定の直流電圧下においては、皮膚表面の近傍と皮膚内部の深部とでは電気的な振動に対するラメラ構造の挙動が異なることが関係していると推測される。デューティ比が５０％の場合、直流パルス電圧が形成する電界は皮膚表面の近傍のラメラ構造に対して強い弛緩作用を及ぼし、皮膚内部の深部のラメラ構造に対しては強い弛緩作用を及ぼすことができない。デューティ比が５０％超かつ８５％以下の場合、直流パルス電圧が形成する電界が皮膚表面の近傍のラメラ構造に及ぼす弛緩作用はデューティ比が５０％の場合と比較して弱くなるが、その電界が皮膚内部の深部のラメラ構造に及ぼす弛緩作用はデューティ比が５０％の場合と比較して強くなる。これがヒアルロン酸の浸透性の向上に寄与していると推測される。
【００７１】
(変形例)
上記実施の形態に示された美容装置およびその制御装置は本発明に関する美容装置およびその制御装置の一例である。上記実施の形態は本発明を制限しない。本発明に関する美容装置およびその制御装置は上記実施の形態に例示された形態とは異なる形態を取り得る。その一例は、実施の形態の構成の一部を置換、変更、もしくは、省略した形態、または、実施の形態に新たな構成を付加した形態である。
【００７２】
経路形成機構１００の各電極１１０、１２０の構成は任意に設定できる。図１１は各電極１１０、１２０の第１変形例を示している。第１電極１１０は一対の基礎部１１１、複数の歯１１２、および、接続部１１４を備えている。一対の基礎部１１１は第１方向に平行である。一方の基礎部１１１と他方の基礎部１１１とは所定の間隔を空けて第２方向に並ぶ。接続部１１４は第２方向に平行である。接続部１１４は一方の基礎部１１１と他方の基礎部１１１とを接続している。各基礎部１１１のそれぞれから複数の歯１１２が突出している。一方の基礎部１１１から突出する歯１１２の先端部１１２Ｂと他方の基礎部１１１から突出する歯１１２の先端部１１２Ｂとは、第２方向に所定の間隔を空けて対向する。第２電極１２０は基礎部１２１および複数の歯１２２を備えている。基礎部１２１は一方の基礎部１１１から突出する歯１１２の先端部１１２Ｂと他方の基礎部１１１から突出する歯１１２の先端部１１２Ｂとの間に配置されている。基礎部１２１から一方の基礎部１１１および他方の基礎部１１１のそれぞれに向けて複数の歯１２２が突出している。
【００７３】
図１２は各電極１１０、１２０の第２変形例を示している。第１電極１１０は環状である。第２電極１２０は第１電極１１０の内側に配置されている。第２電極１２０は円形である。第１電極１１０および第２電極１２０は同心円状に配置されている。１つの第１電極１１０とその内側に配置される１つの第２電極１２０は１組の電極対を構成している。経路形成機構１００は複数の電極対を備えている。複数の電極対が第１方向および第２方向のそれぞれに並べられている。
【産業上の利用可能性】
【００７４】
本発明は美容に関連する各種の用途の美容装置およびその制御装置に利用できる。
【符号の説明】
【００７５】
１０  ：美容装置
８０  ：制御装置
８３  ：第１電圧制御部
１１０：第１電極
１１２：歯
１２０：第２電極
１２２：歯
【図１】
2020137721.tif 000003
【図２】
2020137721.tif 000004
【図３】
2020137721.tif 000005
【図４】
2020137721.tif 000006
【図５】
2020137721.tif 000007
【図６】
2020137721.tif 000008
【図７】
2020137721.tif 000009
【図８】
2020137721.tif 000010
【図９】
2020137721.tif 000011
【図１０】
2020137721.tif 000012
【図１１】
2020137721.tif 000013
【図１２】
2020137721.tif 000014